(57)【特許請求の範囲】
【請求項１】
携帯電話機と、携帯電話網に接続された第１のゲートウェイと、当該第１のゲートウェイに接続された第２のゲートウェイと、当該第２のゲートウェイに接続され、前記携帯電話機の端末ＩＤを格納する顧客データベースと、前記第２のゲートウェイに接続された地図サーバと、情報コンテンツ提供サーバとを有する地図情報システムにおける情報表示方法であって、
前記携帯電話機からの要求に基き、前記情報コンテンツ提供サーバが、店名、電話番号、又は住所を含む特定のタグを付した情報を含む情報コンテンツを前記携帯電話機に送信し、当該携帯電話機は前記特定のタグに含まれる店名、電話番号、又は住所と同じ情報である前記特定のタグを付した情報を画面に表示し、当該情報が選択されると、前記携帯電話機は当該情報に対応した地図情報を有する前記地図サーバに向けて当該地図情報の要求を送信し、
前記第１のゲートウェイが前記要求に前記携帯電話機の端末ＩＤを付加し、当該端末ＩＤが付加された前記要求を前記第２のゲートウェイに送信し、当該第２のゲートウェイは、前記端末ＩＤが前記顧客データベースに格納されていることを確認した後に前記要求を前記地図サーバに送信し、前記地図サーバが前記要求に基づき前記地図情報を前記携帯電話機に送信し、当該携帯電話機は前記地図情報を取得して表示することを特徴とする情報表示方法。
【請求項２】
携帯電話機と、携帯電話網に接続された第１のゲートウェイと、当該第１のゲートウェイに接続された第２のゲートウェイと、当該第２のゲートウェイに接続され、前記携帯電話機の端末ＩＤを格納する顧客データベースと、前記第２のゲートウェイに接続された地図サーバと、情報コンテンツ提供サーバとを有する地図情報システムにおける情報表示方法であって、
前記携帯電話機からの要求に基き、前記情報コンテンツ提供サーバが、店名、電話番号、又は住所を含む特定のタグを付した情報を含む情報コンテンツを前記携帯電話機に送信し、当該携帯電話機は前記特定のタグに含まれる店名、電話番号、又は住所と同じ情報である前記特定のタグを付した情報を画面に表示し、当該情報が選択されると、前記携帯電話機は当該情報に対応した経路案内情報を有する前記地図サーバに向けて当該経路案内情報の要求を送信し、
前記第１のゲートウェイが前記要求に前記携帯電話機の端末ＩＤを付加し、当該端末ＩＤが付加された前記要求を前記第２のゲートウェイに送信し、当該第２のゲートウェイは、前記端末ＩＤが前記顧客データベースに格納されていることを確認した後に前記要求を前記地図サーバに送信し、前記地図サーバは前記要求に基づき経路案内地図及び経路案内文を生成し、前記携帯電話機に当該経路案内地図及び経路案内文を送信し、前記携帯電話機は当該経路案内地図及び経路案内文を表示することを特徴とする情報表示方法。
【請求項３】
携帯電話機と、携帯電話網に接続された第１のゲートウェイと、当該第１のゲートウェイに接続された第２のゲートウェイと、当該第２のゲートウェイに接続され、前記携帯電話機の端末ＩＤを格納する顧客データベースと、前記第２のゲートウェイに接続された地図サーバと、情報コンテンツ提供サーバとを有する情報表示システムであって、
前記携帯電話機からの要求に基き、前記情報コンテンツ提供サーバが、店名、電話番号、又は住所を含む特定のタグを付した情報を含む情報コンテンツを前記携帯電話機に送信し、当該携帯電話機は前記特定のタグに含まれる店名、電話番号、又は住所と同じ情報である前記特定のタグを付した情報を画面に表示し、当該情報が選択されると、前記携帯電話機は当該情報に対応した地図情報を有する前記地図サーバに向けて当該地図情報の要求を送信し、
前記第１のゲートウェイが前記要求に前記携帯電話機の端末ＩＤを付加し、当該端末ＩＤが付加された前記要求を前記第２のゲートウェイに送信し、当該第２のゲートウェイは、前記端末ＩＤが前記顧客データベースに格納されていることを確認した後に前記要求を前記地図サーバに送信し、前記地図サーバが前記要求に基づき前記地図情報を前記携帯電話機に送信し、当該携帯電話機は前記地図情報を取得して表示することを特徴とする情報表示システム。
【請求項４】
携帯電話機と、携帯電話網に接続された第１のゲートウェイと、当該第１のゲートウェイに接続された第２のゲートウェイと、当該第２のゲートウェイに接続され、前記携帯電話機の端末ＩＤを格納する顧客データベースと、前記第２のゲートウェイに接続された地図サーバと、情報コンテンツ提供サーバとを有する情報表示システムであって、
前記携帯電話機からの要求に基き、前記情報コンテンツ提供サーバが、店名、電話番号、又は住所を含む特定のタグを付した情報を含む情報コンテンツを前記携帯電話機に送信し、当該携帯電話機は前記特定のタグに含まれる店名、電話番号、又は住所と同じ情報である前記特定のタグを付した情報を画面に表示し、当該情報が選択されると、前記携帯電話機は当該情報に対応した経路案内情報を有する前記地図サーバに向けて当該経路案内情報の要求を送信し、
前記第１のゲートウェイが前記要求に前記携帯電話機の端末ＩＤを付加し、当該端末ＩＤが付加された前記要求を前記第２のゲートウェイに送信し、当該第２のゲートウェイは、前記端末ＩＤが前記顧客データベースに格納されていることを確認した後に前記要求を前記地図サーバに送信し、前記地図サーバは前記要求に基づき経路案内地図及び経路案内文を生成し、前記携帯電話機に当該経路案内地図及び経路案内文を送信し、前記携帯電話機は当該経路案内地図及び経路案内文を表示することを特徴とする情報表示システム。
【発明の詳細な説明】
【０００１】
【発明の属する技術分野】
本発明は、情報コンテンツを提供する技術に係り、特に、情報コンテンツに関連した地図情報を利用者に表示する方法に関する。
【０００２】
【従来の技術】
近年、端末に地図等を表示し、種々の情報を提供するサービスが普及してきている。例えば、現在位置の周辺地図を携帯電話等に接続したノートパソコンに表示させて、近くの店舗の情報を取得するようなサービスがある。
ある情報コンテンツ提供者が、その提供するコンテンツに関連した地図を表示する従来の技術におけるシステムの構成例を図１に示す。同図に示すように、インターネットに接続された情報サーバから、インターネット等のネットワークを介して、情報が利用者に送信される。経路地図を表示する場合には、情報サーバにあらかじめ地図イメージを生成し、そのイメージへのリンクを提供する情報コンテンツに記述する必要があった。
【０００３】
【発明が解決しようとする課題】
しかしながら、上記従来の技術においては、情報提供者自身が地図イメージを生成しておかなければならず、情報提供者は容易に地図表示サービスを提供することができなかった。
本発明は上記の点に鑑みてなされたものであり、情報コンテンツ提供者が容易に地図を利用者に提供することを可能にする方法を提供することを目的とする。
【０００４】
【課題を解決するための手段】
上記の目的を達成するために本発明は次のように構成することができる。
【０００５】
本発明は、携帯電話機と、携帯電話網に接続された第１のゲートウェイと、当該第１のゲートウェイに接続された第２のゲートウェイと、当該第２のゲートウェイに接続され、前記携帯電話機の端末ＩＤを格納する顧客データベースと、前記第２のゲートウェイに接続された地図サーバと、情報コンテンツ提供サーバとを有する地図情報システムにおける情報表示方法であって、前記携帯電話機からの要求に基き、前記情報コンテンツ提供サーバが、店名、電話番号、又は住所を含む特定のタグを付した情報を含む情報コンテンツを前記携帯電話機に送信し、当該携帯電話機は前記特定のタグに含まれる店名、電話番号、又は住所と同じ情報である前記特定のタグを付した情報を画面に表示し、当該情報が選択されると、前記携帯電話機は当該情報に対応した地図情報を有する前記地図サーバに向けて当該地図情報の要求を送信し、前記第１のゲートウェイが前記要求に前記携帯電話機の端末ＩＤを付加し、当該端末ＩＤが付加された前記要求を前記第２のゲートウェイに送信し、当該第２のゲートウェイは、前記端末ＩＤが前記顧客データベースに格納されていることを確認した後に前記要求を前記地図サーバに送信し、前記地図サーバが前記要求に基づき前記地図情報を前記携帯電話機に送信し、当該携帯電話機は前記地図情報を取得して表示する情報表示方法である。
【０００６】
本発明によれば、情報コンテンツ提供者は地図イメージへのリンクを記述せずに店名、電話番号または住所に特定のタグ（たとえば、＜map＞）を記述するだけで、地図表示サービスを提供することができる。従って、コンテンツ提供者は地図をあらかじめ用意する必要がなくなるので、コスト削減の効果がある。
また、本発明の情報表示方法は、携帯電話機と、携帯電話網に接続された第１のゲートウェイと、当該第１のゲートウェイに接続された第２のゲートウェイと、当該第２のゲートウェイに接続され、前記携帯電話機の端末ＩＤを格納する顧客データベースと、前記第２のゲートウェイに接続された地図サーバと、情報コンテンツ提供サーバとを有する地図情報システムにおける情報表示方法であって、前記携帯電話機からの要求に基き、前記情報コンテンツ提供サーバが、店名、電話番号、又は住所を含む特定のタグを付した情報を含む情報コンテンツを前記携帯電話機に送信し、当該携帯電話機は前記特定のタグに含まれる店名、電話番号、又は住所と同じ情報である前記特定のタグを付した情報を画面に表示し、当該情報が選択されると、前記携帯電話機は当該情報に対応した経路案内情報を有する前記地図サーバに向けて当該経路案内情報の要求を送信し、前記第１のゲートウェイが前記要求に前記携帯電話機の端末ＩＤを付加し、当該端末ＩＤが付加された前記要求を前記第２のゲートウェイに送信し、当該第２のゲートウェイは、前記端末ＩＤが前記顧客データベースに格納されていることを確認した後に前記要求を前記地図サーバに送信し、前記地図サーバは前記要求に基づき経路案内地図及び経路案内文を生成し、前記携帯電話機に当該経路案内地図及び経路案内文を送信し、前記携帯電話機は当該経路案内地図及び経路案内文を表示するよう構成することもできる。
【０００７】
本発明によれば、情報提供者は容易に経路案内サービスを行なうことが可能となる。
【０００８】
また、本発明は、携帯電話機と、携帯電話網に接続された第１のゲートウェイと、当該第１のゲートウェイに接続された第２のゲートウェイと、当該第２のゲートウェイに接続され、前記携帯電話機の端末ＩＤを格納する顧客データベースと、前記第２のゲートウェイに接続された地図サーバと、情報コンテンツ提供サーバとを有する情報表示システムであって、前記携帯電話機からの要求に基き、前記情報コンテンツ提供サーバが、店名、電話番号、又は住所を含む特定のタグを付した情報を含む情報コンテンツを前記携帯電話機に送信し、当該携帯電話機は前記特定のタグに含まれる店名、電話番号、又は住所と同じ情報である前記特定のタグを付した情報を画面に表示し、当該情報が選択されると、前記携帯電話機は当該情報に対応した地図情報を有する前記地図サーバに向けて当該地図情報の要求を送信し、前記第１のゲートウェイが前記要求に前記携帯電話機の端末ＩＤを付加し、当該端末ＩＤが付加された前記要求を前記第２のゲートウェイに送信し、当該第２のゲートウェイは、前記端末ＩＤが前記顧客データベースに格納されていることを確認した後に前記要求を前記地図サーバに送信し、前記地図サーバが前記要求に基づき前記地図情報を前記携帯電話機に送信し、当該携帯電話機は前記地図情報を取得して表示するよう構成することもできる。
【０００９】
また、本発明は、携帯電話機と、携帯電話網に接続された第１のゲートウェイと、当該第１のゲートウェイに接続された第２のゲートウェイと、当該第２のゲートウェイに接続され、前記携帯電話機の端末ＩＤを格納する顧客データベースと、前記第２のゲートウェイに接続された地図サーバと、情報コンテンツ提供サーバとを有する情報表示システムであって、前記携帯電話機からの要求に基き、前記情報コンテンツ提供サーバが、店名、電話番号、又は住所を含む特定のタグを付した情報を含む情報コンテンツを前記携帯電話機に送信し、当該携帯電話機は前記特定のタグに含まれる店名、電話番号、又は住所と同じ情報である前記特定のタグを付した情報を画面に表示し、当該情報が選択されると、前記携帯電話機は当該情報に対応した経路案内情報を有する前記地図サーバに向けて当該経路案内情報の要求を送信し、前記第１のゲートウェイが前記要求に前記携帯電話機の端末ＩＤを付加し、当該端末ＩＤが付加された前記要求を前記第２のゲートウェイに送信し、当該第２のゲートウェイは、前記端末ＩＤが前記顧客データベースに格納されていることを確認した後に前記要求を前記地図サーバに送信し、前記地図サーバは前記要求に基づき経路案内地図及び経路案内文を生成し、前記携帯電話機に当該経路案内地図及び経路案内文を送信し、前記携帯電話機は当該経路案内地図及び経路案内文を表示するよう構成することもできる。
【００１１】
【発明の実施の形態】
図２に上記の地図表示を実現する地図表示システムの構成を示す。同図に示すように、この地図表示システムは、携帯電話網１００、インターネット１０３、情報コンテンツ提供サーバ１０１、１０２から構成される。携帯電話網１００は、携帯電話機１１１、携帯網１０９、携帯網１１０、ゲートウェイサーバ１（１０８）、ゲートウェイサーバ２（１０７）、顧客ＤＢ１０６、情報コンテンツ提供サーバ１０５、地図サーバ１０４を有する。  ゲートウェイサーバ１（１０８）は、携帯電話機との通信を行なうためのゲートウェイであり、携帯電話機からの要求に対して端末ＩＤを付与し、指定された端末ＩＤが付与された携帯電話機への応答をその携帯電話機に送信する制御を行なう。
【００１２】
ゲートウェイ２（１０７）は、携帯電話機等からの要求がどのアドレス向けかを識別し、またそのアドレスへのアクセスを許容するか否かを顧客ＤＢ１０６を参照して判断する。アクセスを許容しない場合にはアクセスを拒否し、許容する場合には、そのアドレスへの中継を行なう。また、応答はその送信先の端末（携帯電話機）が収容されているゲートウェイを顧客ＤＢから参照し、そのゲートウェイにアクセスする。図２におけるゲートウェイサーバ１（１０７）はそのようなゲートウェイのうちの１つである。
【００１３】
顧客ＤＢ１０６は携帯電話機のアクセス可能なサーバ情報（サービスを提供するアドレス等）及び現在収容されているゲートウェイ情報を有するデータベースである。情報提供サーバ１０１、１０２はゲートウェイサーバ２（１０７）と専用線又はインターネットで接続され、ゲートウェイサーバ２（１０７）からの要求に応じた情報を生成配信する。
【００１４】
また、情報提供サーバ１０２（又は１０１）はインターネットを介して情報コンテンツを携帯電話機やインターネットに接続されたＰＣ等に提供する。
この構成において、まず、携帯電話機１１１が情報提供サーバ１０２にあるコンテンツを要求し、受信する。そのコンテンツが、例えば、店舗とその電話番号のリストである場合に、携帯電話機１１１の利用者がその中の特定の店舗の場所を知りたいときには、受信したコンテンツの中のその店舗の電話番号を選択すると、地図サーバ１０４がその電話番号に対応した店舗の地図情報を携帯電話１１１に送信し、携帯電話機ではその地図を表示する。
【００１５】
図３は本システムにおけるコマンドシーケンスを示す図である。同図及び図２を参照してコマンドシーケンスを説明する。
まず、携帯電話機が情報提供サーバにコンテンツを要求する。情報提供サーバは、その要求に基づいて、コンテンツを携帯電話機に送信する。携帯電話機はそのコンテンツを画面に表示する。そして、利用者が、そのコンテンツの中で、経路を知りたい場所の電話番号等を選択する。
【００１６】
次に、携帯電話機は情報要求として目的地情報及び要求地図種別をゲートウェイサーバ１（１０８）に携帯網１０９を介して送信する。ゲートウェイサーバ１（１０８）ではその携帯電話機の現在地情報と端末ＩＤを付加する。なお、携帯電話機が情報要求を行なう時に現在地情報を含めてもよい。
携帯電話機は、現在位置の情報として、経度緯度、住所、電話番号、店の名称等を送信できる。また、携帯電話機が現在位置を空白とした場合には、ゲートウェイサーバ１（１０８）は、例えば、目的地の最寄駅を現在位置と設定する。目的地情報は経度緯度、住所、電話番号、店の名称等である。要求地図種別としては単純経路地図又は周辺情報を付与した経路地図を指定できる。端末ＩＤは当該携帯電話網で収容されている端末のＩＤ番号である。
【００１７】
続いて、ゲートウェイサーバ１（１０８）は現在地情報、目的地情報、要求地図種別及び端末ＩＤをゲートウェイサーバ２（１０７）に送信する。ゲートウェイサーバ２（１０７）は、顧客ＤＢ１０６を参照して端末ＩＤをチェックする。ここで、端末ＩＤが顧客ＤＢにない場合、又は端末ＩＤがない場合にはアクセスが拒否される。端末ＩＤのチャック結果が良好であれば情報要求を地図サーバ１０４に送信する。
【００１８】
地図サーバ１０４では案内地図及び案内文を生成する。地図サーバ１０４は処理結果通知として結果生成物、案内地図及び案内文をゲートウェイサーバ２（１０７）に送信する。
上記の結果生成物は、地図ファイル数、目的地までの距離、経路ランドマーク数、周辺ランドマーク数、経路案内文数等から構成される。案内地図は地図ファイルであり、案内文は経路ランドマーク情報（名称、住所、電話番号）、周辺ランドマーク情報（名称、住所、電話番号）、経路案内文等である。なお、結果生成物は、例えば、上記の情報から構成された１つのＨＴＭＬ文書とすることができる。
【００１９】
続いて、ゲートウェイサーバ２（１０７）は送信先の携帯電話機が収容されているゲートウェイを顧客ＤＢ１０６から参照し、そのゲートウェイ、例えばゲートウェイサーバ１（１０８）に処理結果通知を送信する。そして、ゲートウェイサーバ１が携帯電話機に処理結果通知を送信することによって、携帯電話機で所望の経路案内の情報を見ることができる。
【００２０】
図４は、携帯電話機に情報提供サーバからのコンテンツが表示された場合の表示画面を示す図である。例えば、電話番号をキー操作によって選択することにより、このレストランの地図が表示される。
図５及び図６は、情報コンテンツ提供者から送信された情報を示す図である。本実施の形態では、情報はＨＴＭＬをベースとした文書で作成されている。図５、図６に示したＨＴＭＬベースの言語は、ＨＴＭＬ言語のサブセット版であり、コンパクトＨＴＭＬ（Ｃ−ＨＴＭＬ）と称されている言語の仕様に近く、テンキーでの入力や、通話機能と連動させるタグ等が携帯電話機向けに定義されている。図５、図６に示すように、元の記述においてmap タグの付された情報を、画面上で選択することによって、地図サーバが該当の地図情報を検索して、携帯電話機に地図情報を送信する。
【００２１】
地図サーバが送信する情報によって経路案内を行う例を図７に示す。同図において、携帯電話機に表示された画面が操作者のキー入力によって（ａ）〜（ｄ）のように遷移し、経路案内を行なう。
（ａ）は、ＪＲ鎌倉駅をスタート地点として鎌倉警察を目的地とする経路案内の最初の画面を表す。同図に示すように、スタート地点から目的地までの距離が示され、目印となるビル等（以下、ランドマークと称する）が地図上で数字又は文字のアイコンで示される。画面の下側には経路案内文が示される。経路案内文中には地図上のアイコンに対応したアイコンが表示され、そのアイコンをキー入力することにより、そのアイコンに対応したランドマーク周辺の案内文に遷移する。
【００２２】
図７において、（ａ）の画面で１を入力すると（ｂ）の画面になり、（ｂ）の画面で２を入力すると（ｃ）の画面になり、同様にして、目的地を示す（ｄ）の画面になる。このように、行程に沿って適切な案内文及び地図を表示するので、小さな画面の携帯電話機でも操作性が良い。
図８は、携帯電話機に送信するために地図サーバが生成したＨＴＭＬベースの言語によるデータの一例であり、図７に示した画面表示に対応する。このＨＴＭＬ文書を携帯電話機が解釈して地図を表示する。図８中、例えば  accesskey=1 のところで１を入力した画面は図７（ｂ）に対応している。
【００２３】
本発明は、上記実施例に限定されるものではなく、その要旨を逸脱しない範囲において種々変更可能である。
【００２４】
【発明の効果】
上記のように、本発明によれば、情報コンテンツ提供者は地図イメージへのリンクを記述せずに店名、電話番号または住所に特定のタグ（たとえば、＜map ＞）を記述するだけで、地図表示サービスを提供することができる。従って、コンテンツ提供者は地図をあらかじめ用意する必要がなくなるので、コスト削減の効果がある。
【００２５】
また、住所等を記述した文書から、容易に地図サーバへのリンクを生成することができるので、簡易なキー操作１つで地図検索が可能となる。
【図面の簡単な説明】
【図１】従来の技術における情報表示システムを示す図である。
【図２】本発明の実施の形態における情報表示システムを示す図である。
【図３】本発明の実施の形態における情報表示システムのコマンドシーケンスを示す図である。
【図４】携帯電話機の画面におけるコンテンツ表示の例を示す図である。
【図５】コンテンツを記述したＨＴＭＬベースの文書の第１の例である。
【図６】コンテンツを記述したＨＴＭＬベースの文書の第２の例である。
【図７】携帯電話機の画面における経路案内の例を示す図である。
【図８】携帯電話機向けに地図サーバが出力するデータの例を示す図である。
【符号の説明】
１００  携帯電話網
１０１、１０２  情報提供サーバ
１０３  インターネット
１０４  地図サーバ
１０５  情報提供サーバ
１０６  顧客ＤＢ
１０７  ゲートウェイサーバ２
１０８  ゲートウェイサーバ１
１０９  携帯網
１１０  携帯網
１１１  携帯電話機
【図１】
0004130720.tif 000002
【図２】
0004130720.tif 000003
【図３】
0004130720.tif 000004
【図４】
0004130720.tif 000005
【図５】
0004130720.tif 000006
【図６】
0004130720.tif 000007
【図７】
0004130720.tif 000008
【図８】
0004130720.tif 000009